(57)【要約】 【課題】  複数の端末装置にて使用する電話帳などのデータの効率的な記憶及び使用を可能とするコードレス電話機を提供する。【解決手段】  コードレス電話機によれば、親機及び子機のうちのいずれか１つの端末装置に記憶部を設け、電話関連データを集中管理する。即ち、記憶部を備える端末装置は、他の端末装置から参照要求を受け取ると、記憶部から電話関連データを読み出して要求元の端末装置へ送信する。これにより、各端末装置に同じ電話関連データを重複して記憶しておく必要がなくなり、メモリの節約などによりコードレス電話機の低コスト化が可能となる。【選択図】      図４
2005311609.tif 000002
【特許請求の範囲】
【請求項１】
親機および子機を含む複数の端末装置を備えるコードレス電話機であって、前記複数の端末装置のうちの一つの端末装置は、
電話関連データを記憶する記憶部と、
前記複数の端末装置のうちの他の端末装置から前記電話関連データの参照要求を受け取ったときに、当該参照要求に対応する前記電話関連データを前記記憶部から取得して、要求元の端末装置へ送信する転送手段と、を備えることを特徴とするコードレス電話機。
【請求項２】
前記電話関連データは電話帳データを含み、
前記他の端末装置は、利用者の操作に応じて、前記転送手段から受信した電話帳データに含まれる宛先への発信要求を前記親機へ送信する手段を備えることを特徴とする請求項１に記載のコードレス電話機。
【請求項３】
前記転送手段は、前記他の端末装置の参照要求に応じて、前記電話帳データに含まれる宛先１人分の登録データを送信することを特徴とする請求項２に記載のコードレス電話機。
【請求項４】
前記他の端末装置は、当該装置に専用の個別電話帳データを記憶する記憶部と、
前記個別電話帳データに含まれる宛先への発信要求を前記一つの端末装置へ送信する手段と、を備えることを特徴とする請求項２に記載のコードレス電話機。
【請求項５】
前記一つの端末装置の前記記憶部は、前記他の端末装置に専用の個別電話帳データを記憶しており、
前記転送手段は、前記他の端末装置から前記個別電話帳データに含まれる宛先についての参照要求を受け取ったときに、当該宛先についての登録データを送信元の端末装置へ送信することを特徴とする請求項２に記載のコードレス電話機。
【請求項６】
前記電話関連データは、前記端末装置による発信履歴データ、着信履歴データ及び着信拒否データの少なくとも１つを含むことを特徴とする請求項１に記載のコードレス電話機。
【請求項７】
前記他の端末装置は、当該端末装置による前記発信履歴データ、着信履歴データ及び着信拒否データの少なくとも１つを前記一つの端末装置へ送信し、
前記１つの端末装置は、前記他の端末装置から受信した発信履歴データ及び着信履歴データを前記記憶部に記憶することを特徴とする請求項６に記載のコードレス電話機。
【発明の詳細な説明】
【技術分野】
【０００１】
本発明は、親機と子機を備えるコードレス電話機に関する。
【背景技術】
【０００２】
電話帳機能を備えたコードレス電話機が知られている（例えば特許文献１及び２を参照）。コードレス電話機では、複数の端末装置（親機及び子機）の全てに電話帳機能が搭載されているものが一般的である。よって、同一の電話帳データを全ての端末装置に登録したい場合、ユーザはそれら全ての端末装置に同一の電話帳データを登録する作業を行う必要がある。
【０００３】
また、最近の製品では、電話帳データのコピー機能を有するものが知られている。しかし、このようなコードレス電話機では、ユーザは電話帳データの登録作業とは別個に、電話帳データのコピー操作を行う必要がある。しかも、通常のコピー機能では、一度の操作でコピーできる端末数は１台に限定されているため、全ての端末装置へ電話帳データをコピーしたい場合には、端末装置の数だけ、繰り返しコピー操作を行う必要がある。
【０００４】
また、親機と子機のように、形状の異なる端末装置では、電話帳登録のためのボタン操作に差異があるため、ユーザは各々の操作を覚えるか、又は、取扱説明書を見ながら操作しなければならない。よって、複数の子機を備える場合など、端末装置の数が多いほど、電話帳データの登録や更新に手間がかかる。
【０００５】
さらに、全ての端末装置に電話帳データを記憶するためには、全ての端末装置にメモリなどの記憶部を設け、各々に重複したデータを記憶することとなるので、コスト面の無駄も生じうる。
【０００６】
【特許文献１】特開２００３−１３４２１６号公報
【特許文献２】特開２００２−１０１１８４号公報
【発明の開示】
【発明が解決しようとする課題】
【０００７】
本発明が解決しようとする課題には上記のようなものが例として挙げられる。本発明は、複数の端末装置にて使用する電話帳などのデータの効率的な記憶及び使用を可能とするコードレス電話機を提供することを課題とする。
【課題を解決するための手段】
【０００８】
請求項１に記載の発明は、親機および子機を含む複数の端末装置を備えるコードレス電話機であって、前記複数の端末装置のうちの一つの端末装置は、電話関連データを記憶する記憶部と、前記複数の端末装置のうちの他の端末装置から前記電話関連データの参照要求を受け取ったときに、当該参照要求に対応する前記電話関連データを前記記憶部から取得して、要求元の端末装置へ送信する転送手段と、を備えることを特徴とする。
【発明を実施するための最良の形態】
【０００９】
本発明の１つの観点では、コードレス電話機は親機および子機を含む複数の端末装置を備え、前記複数の端末装置のうちの一つの端末装置は、電話関連データを記憶する記憶部と、前記複数の端末装置のうちの他の端末装置から前記電話関連データの参照要求を受け取ったときに、当該参照要求に対応する前記電話関連データを前記記憶部から取得して、要求元の端末装置へ送信する転送手段と、を備える。
【００１０】
上記のコードレス電話機によれば、親機及び子機のうちのいずれか１つの端末装置に記憶部を設け、電話関連データを集中管理する。即ち、記憶部を備える端末装置は、他の端末装置から参照要求を受け取ると、記憶部から電話関連データを読み出して要求元の端末装置へ送信する。これにより、各端末装置に同じ電話関連データを重複して記憶しておく必要がなくなり、メモリの節約などによりコードレス電話機の低コスト化が可能となる。なお、電話関連データには、相手先や電話番号などを含む電話帳データの他、着信履歴データ、送信履歴データ、着信拒否に関するデータなどの各種のデータが含まれる。
【００１１】
上記のコードレス電話機の一態様では、前記電話関連データは電話帳データを含み、前記他の端末装置は、利用者の操作に応じて、前記転送手段から受信した電話帳データに含まれる宛先への発信要求を前記親機へ送信する手段を備える。この態様では、記憶部を備える端末装置から、宛先の電話帳データが取得できた場合には、ユーザの発信指示などに応じて、当該電話帳データに対応する宛先への発信要求を前記親機へ送信する。親機はこの発信要求に応じて、宛先へ発信処理を行う。これにより、ユーザは、記憶部を有しない端末装置を使用しても外部の所望の宛先へ発信を行うことができる。
【００１２】
上記のコードレス電話機の他の一態様では、前記転送手段は、前記他の端末装置の参照要求に応じて、前記電話帳データに含まれる宛先１人分の登録データを送信する。電話帳データとして記憶部内に複数の登録データが記憶されている場合には、１人分の登録データずつ要求元の端末装置へ送信することにより、無駄に多人数分の電話帳データを要求元の端末装置へ送信し、当該端末装置内に一時的に保持することを防止する。
【００１３】
上記のコードレス電話機の他の一態様では、前記他の端末装置は、当該装置に専用の個別電話帳データを記憶する記憶部と、前記個別電話帳データに含まれる宛先への発信要求を前記一つの端末装置へ送信する手段と、を備える。
【００１４】
この態様によれば、全ての端末装置で共通に使用する共通電話帳データは１つの端末装置に集中管理するとともに、各端末装置で個別に使用する個別電話帳データを各端末装置内に記憶可能とする。これにより、共通電話帳データを各端末装置内に無駄に重複して記憶することを防止するとともに、個別に個別電話帳データの管理が可能となる。
【００１５】
上記のコードレス電話機の他の一態様では、前記一つの端末装置の前記記憶部は、前記他の端末装置に専用の個別電話帳データを記憶しており、前記転送手段は、前記他の端末装置から前記個別電話帳データに含まれる宛先についての参照要求を受け取ったときに、当該宛先についての登録データを送信元の端末装置へ送信する。
【００１６】
この態様によれば、全ての端末装置で共通に使用する共通電話帳データを１つの端末装置に集中管理するとともに、各端末装置で個別に使用する個別電話帳データもその各端末装置内に記憶可能とする。これにより、共通電話帳データを各端末装置内に無駄に重複して記憶することを防止するとともに、個別に個別電話帳データの管理が可能となる。また、共通電話帳データ及び個別電話帳データを１つの端末装置に集中して記憶すればよいので、他の端末装置にメモリなどの記憶部を設ける必要が無くなり、コードレス電話機全体の低コストも可能となる。
【００１７】
好適な実施例では、前記電話関連データは、前記端末装置による発信履歴データ、着信履歴データ及び着信拒否データの少なくとも１つを含む。この場合、上記のコードレス電話機の他の一態様では、前記他の端末装置は、当該端末装置による前記発信履歴データ、着信履歴データ及び着信拒否データの少なくとも１つを前記一つの端末装置へ送信し、前記１つの端末装置は、前記他の端末装置から受信した発信履歴データ及び着信履歴データを前記記憶部に記憶する。
【実施例】
【００１８】
以下、本発明の好適な実施例を図面に基づいて説明する。
【００１９】
［基本構成］
図１に、本発明の実施例に係るコードレス電話機の全体構成を示す。図示のように、コードレス電話機１００は、１つの親機１１０ａと、１つ又は複数の子機１１０ｂとを備える。親機１１０ａは外部の電話回線網１０３と接続されている。また、親機１１０ａは、子機１１０ｂと無線通信を行うことにより、必要な電話帳データや各種の設定データなどを授受する。さらに、親機１１０ａと子機１１０ｂとの通信により、ユーザは子機１１０ｂを利用して外部と通話することができる。
【００２０】
まず、親機１１０ａの構成について説明する。図２は、コードレス電話機１００の親機１１０ａの概略構成を示すブロック図である。
【００２１】
図２において、親機１１０ａは、検波回路１と、回線制御回路２と、通話回路３と、ＤＳＰ（Digital Signal Processor）４と、無線送受信回路５と、アンテナ６と、ＣＰＵ７と、キースイッチ８と、ＣＰＵ７に接続されたドライバ９と、ドライバ９によって駆動される液晶パネルや有機ＥＬなどのディスプレイ１０とを備えている。
【００２２】
検波回路１は、外線接続端子Ｌ１、Ｌ２に入力される外線着信信号および受信信号を検波する。回線制御回路２は電話機と外線との回線接続を制御し、通話回路３は回線制御回路２を介して入力されてくる受信信号の後述する他の回路への送出や外線への送話信号の送出を行う。ＤＳＰ４は、通話回路３を介して入力されてくる受信信号や外線に送出する送話信号の音声処理を行うとともに、ＣＰＵ７に対してモデムとして機能する。無線送受信回路５は、子機との間でＭＣＡ（マルチ・チャンネル・アクセス）方式による無線通話回路を形成する。アンテナ６は、子機との間で無線の送受信を行うために使用される。
【００２３】
ＣＰＵ７は、回線制御回路２、通話回路３、ＤＳＰ４、及び無線送受信回路５に接続され、各回路の作動制御を行う。また、ＣＰＵ７にはメモリなどにより構成される記憶部１１５ａが接続されており、このメモリ１１５ａは後述するように電話帳データなどを記憶する。
【００２４】
また、親機１１０ａは、外線接続端子Ｌ１、Ｌ２から入力されてくる外線着信信号を検出するリング回路１１、リング回路１１による外線着信信号の検出によって呼出音を鳴らすモニタスピーカ１２、オンフックモード時にハンズフリーによる通話を行うためのマイク１３、及び、子機を置いたままで通話するためのオンフックモードへの切り換えを行うオンフックスイッチ１４をさらに備える。
【００２５】
次に、子機１１０ｂの構成について説明する。図３は、コードレス電話機１００の子機１１０ｂの概略構成を示すブロック図である。
【００２６】
図３において、子機１１０ｂは、アンテナ２１と、無線送受信回路２２と、ＤＳＰ２３と、ＣＰＵ２４と、ＣＰＵ２４に接続されて電話番号等のデータ入力や電話機操作を行うキースイッチ２５と、ＣＰＵ２４に接続されたドライバ２６と、ドライバ２６によって駆動される液晶パネルや有機ＥＬなどのディスプレイパネル２７とを備えている。また、子機１１０ｂはさらに、マイク２８、レシーバ２９を備える。
【００２７】
アンテナ２１は、親機１１０ａとの間で無線の送受信を行うために使用される。無線送受信回路２２は、アンテナ２１を介して親機１１０ａとの間でＭＣＡ方式による無線通話回路を形成する。ＤＳＰ２３は、無線送受信回路２２を介して入力されてくる受信信号や外線に送出する送話信号の音声処理を行うとともに、ＣＰＵ２４に対してモデムとして機能する。ＣＰＵ２４は、ＤＳＰ２３および無線送受信回路２２に接続され、各回路の作動制御を行う。ＣＰＵ２４には、記憶部としてのメモリ１１５ｂが接続されており、メモリ１１５ｂは電話帳データなどを記憶する。
【００２８】
［第１実施例］
次に、第１実施例について説明する。図４は、第１実施例による電話帳データの処理に関連する部分の概略構成を示す機能ブロック図である。図示のように、コードレス電話機は、親機１１０ａと子機１１０ｂがそれぞれのアンテナ部６、２１を介して通信可能とされている。
【００２９】
図示のように、親機１１０ａは、主制御部１１１ａと、表示部１１２ａと、操作部１１３ａと、無線部１１４ａと、記憶部１１５ａを備えて構成される。主制御部１１１ａは、親機１１０ａを利用した通話処理に加えて、親機１１０ａから子機１１０ｂへ、または逆に子機１１０ｂから親機１１０ａへのデータの送受信処理全体にわたる必要な制御を行う。  表示部１１２ａは例えば液晶パネルなどにより構成され、電話番号など、電話に関する必要な情報の表示に使用される。操作部１１３ａは、ユーザが操作する操作ボタンなどにより構成される。無線部１１４ａは子機との間で必要なデータを無線通信する。
【００３０】
記憶部１１５ａは、ユーザが親機１１０ａまたは子機１１０ｂに登録した登録データを電話帳データとして記録する。また、記憶部１１５ａは、送受信の履歴データなども記憶する。
【００３１】
一方、子機１１０ｂは、主制御部１１１ｂと、表示部１１２ｂと、操作部１１３ｂと、無線部１１４ｂと、を備え、各部の働きは親機１１０ａのものと同様である。但し、図４に示すように、子機１１０ｂには記憶部は設けられていない。本実施例では、子機１１０ｂに対して登録される電話帳データも、親機１１０ａの記憶部１１５ａに記憶される。即ち、複数の子機１１０ｂを備えるコードレス電話機１００において、電話帳データなどは全て親機１１０ａの記憶部１１５ａに記憶される。
【００３２】
なお、以下の説明において、親機又は子機の構成要素であって、いずれかを区別する必要が無い場合には、添え字を省略して表記する。例えば、「主制御部１１１ａ」と言った場合は親機の主制御部を指し、単に「主制御部１１１」と言った場合は親機又は子機のいずれかの主制御部を指すものとする。
【００３３】
図５（ａ）は、図４に示す記憶部１１５ａの内部構造を示すブロック図である。記憶部１１５ａは、電話帳メモリ１１６ａと、送信履歴メモリ１１６ｂと、受信履歴メモリ１１６ｃと、その他の必要な情報を記憶するその他メモリ１１６ｄを備える。
【００３４】
電話帳メモリ１１５ａに記憶された電話帳データ１３５の例を図５（ｂ）に示す。図示のように、電話帳データ１３５は複数の登録データ１３６を含む。１つの登録データ１３６は１つの電話番号に対応しており、各登録データ１３６は、相手の名前、電話番号、電子メール（E-mail）アドレスなどを含んでいる。
【００３５】
次に、電話帳データの登録方法について説明する。本実施例では、上述のように、電話帳データは親機１１０ａの記憶部１１５ａに記憶されている。よって、ユーザが親機１１０ａを使用して電話帳データを登録する場合には、親機１１０ａの操作ボタンなどの操作により入力されたデータはそのまま親機１１０ａの記憶部１１５ａに記憶される。
【００３６】
一方、ユーザが子機１１０ｂを使って電話帳データを登録する際には、ユーザが子機１１０ｂに入力した電話帳データは、子機１１０ｂからアンテナ部２１及び６を介して親機１１０ａへ送信され、親機１１０ａ内に設けられた記憶部１１５ａに登録データとして登録される。
【００３７】
次に、本実施例において外部へ電話をかける（発信する）処理について説明する。ユーザは、親機１１０ａ及び子機１１０ｂのいずれかを使用して外部へ発信することができる。
【００３８】
親機１１０ａを使用して発信する場合は、一般的な発信処理が実行される。即ち、ユーザが親機１１０ａを操作して記憶部１１５ａ内に記憶されている相手先の登録データを見つけ出し、ボタン操作などにより発信指示を入力する。この発信指示は、相手先の電話番号を含む。親機１１０ａは、ユーザによる発信指示の入力を受け取ると、その相手先の電話番号へ発信する。
【００３９】
次に、子機１１０ｂを使用して発信する処理について説明する。図６は、ユーザが子機１１０ｂから発信する際の、子機１１０ｂの処理に関するフローチャートである。まず、ユーザが子機１１０ｂから電話帳データを参照するために子機１１０ｂを操作すると、子機１１０ｂから親機１１０ａへ電話帳参照要求が送信され（ステップＳ１）、それに対する親機からの応答を子機が受信する（ステップＳ２）。
【００４０】
このとき、親機１１０ａの記憶部１１５ａ内に１件でも登録データがあれば（ステップＳ３；Ｙｅｓ）、親機１１０ａは子機１１０ｂへ１件の登録データを送信する。子機１１０ｂはそれを受信して、子機１１０ｂの表示部１１２ｂ上にその１件の登録データを表示する（ステップＳ４）。一方、親機１１０ａの記憶部１１５ａ内に１件も登録データがなければ（ステップＳ３；Ｎｏ）、親機１１０ａは登録データがない旨の情報を子機１１０ｂへ送信する。子機１１０ｂはそれを受信し、登録データがない旨を表示部１１２ｂ上に表示する（ステップＳ９）。
【００４１】
ステップＳ４で表示された登録データがユーザの要求する登録データ、即ちユーザがその時に電話をかけたいと考えている相手の登録データであれば、他の登録データを参照する必要はないのでユーザは他の登録データの参照操作を行わない（ステップＳ５；Ｎｏ）。そして、ユーザが発信操作をすることによって（ステップＳ７；Ｙｅｓ）、子機１１０ｂは親機１１０ａへその登録データの中の電話番号データを含む発信要求を送信する（ステップＳ８）。一方、ユーザが発信操作をしない場合には（ステップＳ７；Ｎｏ）、処理はステップＳ５に戻り、ユーザからの操作入力待ちとなる。
【００４２】
ステップＳ４で表示された登録データがユーザの要求する登録データでなければ、ユーザは目的とする他の登録データを得るために再び電話帳データを参照する必要があるので、ユーザは次の登録データを要求する指示を入力し（ステップＳ５；Ｙｅｓ）、子機１１０ｂは親機１１０ａへ再び電話帳参照要求を送信する（ステップＳ６）。その後は、ステップＳ２からの処理が繰り返される。
【００４３】
図７（ａ）は、ユーザが子機１１０ｂから電話帳を参照する際の親機１１０ａの処理に関するフローチャートである。ユーザが子機１１０ｂから電話帳データを参照するために子機１１０ｂの操作ボタンなどを操作すると、子機１１０ｂから親機１１０ａへ電話帳参照要求が送信される。親機１１０ａは子機１１０ｂから電話帳参照要求を受け取ると（ステップＳ１１；Ｙｅｓ）、記録部１１５ａ内の電話帳データを参照して１件の登録データを取得し（ステップＳ１２）、その登録データを子機１１０ｂへ送信する（ステップＳ１３）。親機１１０ａは、子機１１０ｂから電話帳参照要求を受け取るたびにこの処理を実行する。
【００４４】
図７（ｂ）は、ユーザが子機１１０ｂから発信する際の親機１１０ａの処理に関するフローチャートである。親機１１０ａは子機１１０ｂから発信要求があったか否かを判定する（ステップＳ２１）。なお、この発信要求には、相手先の電話番号データが含まれる。親機１１０ａは発信要求を受け取ると（ステップＳ２１；Ｙｅｓ）、発信要求に含まれる電話番号に発信する（ステップＳ２２）。
【００４５】
以上のように、本発明の第１実施例によれば、電話帳データは全て親機１１０ａの記憶部１１５ａに記憶されるので、子機１１０ｂ毎に同じ電話帳データを保持する必要が無く、それゆえ子機側にそのための記憶部（メモリ）などを設ける必要がない。よって、子機のコストを削減することができる。
【００４６】
（変形例）
次に、第１実施例のコードレス電話機の変形例の構成を図８に示す。上述の第１実施例では図４に示すように、電話帳データは親機１１０ａの記憶部１１５ａに記憶されている。しかし、本発明では、電話帳データを必ずしも親機１１０ａに記憶する必要はなく、いずれか１つの子機１１０ｂに記憶しても構わない。例えば、使用環境などの理由により、ユーザが親機よりも特定の子機の方を頻繁に使用する場合には、その子機に記憶部を備える方が便利なこともありうる。図８はそのような例を示す。図示のように、親機１１０ａには記憶部は設けられておらず、子機１１０ｂに記憶部１１５ｂが設けられている。なお、子機１１０ｂを複数備えるコードレス電話機１００の場合でも、記憶部１１５ｂはそれら複数の子機１１５ｂのうちのいずれか１つのみに設けられる。これにより、親機及びその子機以外の子機には記憶部を設ける必要がなくなり、コードレス電話機全体としての低コスト化が可能となる。言い換えれば、第１実施例では、親機及び１つ又は複数の子機を含む全ての端末装置のうち、いずれか１つのみに記憶部を設け、他の端末装置からはその端末装置の記憶部内の電話帳データを参照して使用するのである。
【００４７】
外部への発信時には、ユーザが記憶部１１５ｂを備える子機１１０ｂを使用して発信する場合は、その子機１１０ｂは自身の記憶部１１５ａから相手先の電話帳データを読み出して表示する。ユーザは順次表示される電話帳データから相手先の電話帳データを見つける。また、ユーザが発信指示を入力すると、その子機１１０ｂは指定された電話番号データを含む発信要求を親機１１０ａへ送信し、親機１１０ａはその電話番号へ発信する。
【００４８】
一方、ユーザが親機１１０ａを使用して発信する場合は、親機１１０ａは記憶部１１５ｂを有する子機へ電話帳参照要求を行い、電話帳データを取得する。そして、相手先が決まり、ユーザが親機１１０ａに対して発信指示を行うと、親機１１０ａはその電話番号へ発信する。
【００４９】
また、ユーザが記憶部を有しない子機１１０ｂを使用して発信する場合は、その子機１１０ｂは直接又は親機１１０ａを介して記憶部１１５ｂを有する子機１１０ｂへ電話帳参照要求を行い、電話帳データを取得する。そして、相手先が決まり、ユーザが子機１１０ｂに対して発信指示を行うと、その子機１１０ｂは親機１１０ａへ相手先の電話番号データを含む発信要求を送信する。親機１１０ａは発信要求を受け取り、指定された電話番号へ発信する。
【００５０】
なお、上記のいずれの場合においても、電話帳参照要求及び発信要求の詳細は、図６及び７に示したものと基本的に同様である。
【００５１】
［第２実施例］
次に、本発明の第２実施例を説明する。第２実施例は、本発明にかかるコードレス電話機を複数のユーザで共有する際に、あるユーザが共有の電話帳データとは別に個人専用の個別電話帳データを設ける場合を想定したものである。
【００５２】
図９に、第２実施例のコードレス電話機の基本構成を示す。図９に示すように、親機１１０ａは記憶部１１５ａを備える。この記憶部１１５ａには、親機１１０ａ及び全ての子機１１０ｂにより共有する電話帳データ（以下、「共通電話帳データ」と呼ぶ。）を記憶する。一方、各子機１１０ｂも記憶部１１５ｂを有する。子機１１０ｂの記憶部１１５ｂには、その子機１１０ｂのユーザが専用で使用する電話帳データ（以下、「個別電話帳データ」と呼ぶ。）を記憶する。即ち、全ての子機で共有する電話帳データを親機にて集中管理し、個々の子機のユーザが個人的に使用する個別電話帳データは各子機内に記憶して個別に管理する。
【００５３】
この方法によれば、共通電話帳データは親機１１０ａのみに記憶され、各子機１１０ｂに重複して記憶する必要はないので、コードレス電話機全体として記憶容量の無駄を防止することができる。また、個々の子機１１０ｂにおいて専用で使用する個別電話帳データは子機毎に記憶するので、ユーザ毎に個別に管理することができ、管理の利便性の向上やプライバシーの保護などが可能となる。
【００５４】
次に、電話帳データの登録方法について説明する。本実施例では、親機１１０ａへの共通電話帳データの登録は親機１１０ａ及び子機１１０ｂのいずれを使用しても行うことができる。但し、ユーザは登録時に、その電話帳データを共通電話帳データとして登録するか、個別電話帳データとして登録するかを指定する必要がある。ユーザが共通電話帳データと指定して登録した電話帳データは、子機１１０ｂから親機１１０ａへ送信され、親機１１０ａ内の記憶部１１５ａに記憶される。一方、ユーザが個別電話帳データとして指定して登録した電話帳データは、その子機１１０ｂ（即ち、ユーザが操作している子機）の記憶部１１５ｂのみに記憶される。
【００５５】
次に、発信処理について説明する。
【００５６】
まず、ユーザが親機１１０ａを使用して共通電話帳データに属する電話番号に発信する場合は、ユーザの操作に応じて電話帳データが順次親機１１０ａの表示部１１２ａに表示される。そして、ユーザが相手先を決定して発信指示を入力すると、親機１１０ａはその電話番号へ発信する。
【００５７】
また、ユーザが子機１１０ｂを使用して共通電話帳データに属する電話番号に発信する場合は、基本的に図６及び図７に示した第１実施例と同様の処理が行われる。即ち、まず子機１１０ｂから親機１１０ａに電話帳参照要求がなされ、対応する電話帳データが親機１１０ａから子機１１０ｂへ送信される。次に、ユーザが相手先を決定し、子機１１０ｂに対して発信指示を入力すると、子機１１０ｂは親機１１０ａへその電話番号データを含む発信要求を送信する。親機１１０ａは子機１１０ｂから発信要求を受け取り、指定された電話番号へ発信する。
【００５８】
また、ユーザが子機１１０ｂを使用して個別電話帳データに属する電話番号に発信する場合は、ユーザの操作に応じて子機１１０ｂが記憶部１１５ｂから電話帳データを読み出し、表示部１１２ｂに表示する。そして、ユーザが相手先を決定し、子機１１０ｂに対して発信要求を入力すると、子機１１０ｂは親機１１０ａへその電話番号データを含む発信要求を送信する。親機１１０ａは子機１１０ｂから発信要求を受け取り、指定された電話番号へ発信する。
【００５９】
以上のように、第２実施例によれば、共通電話帳データを親機１１０ａに記憶して集中管理することとしてメモリの無駄を省くとともに、子機１１０ｂのユーザはそれぞれ個別電話帳データを自分が使用する子機１１０ｂ内の記憶部１１５ｂに記憶し、個人的に管理することができる。
【００６０】
なお、子機１１０ｂが複数ある場合には、各子機１１０ｂの個別電話帳データにパスワードなどを設定するなどして他のユーザからは登録データが引き出せないようにすれば、複数のユーザが共有するコードレス電話機であっても個々の子機を使用するユーザのプライバシーを守ることができる。
【００６１】
［第３実施例］
次に、本発明の第３実施例を説明する。第３実施例も先に説明した第２実施例と同様に、共通電話帳データを親機１１０ａに記憶することに加え、あるユーザ専用の個別電話帳データを設ける場合を想定したものである。但し、第３実施例と第２実施例との相違点は、個別電話帳データを記憶する記憶部を各子機１１０ｂ内ではなく親機１１０ａの記憶部１１５ａ内に設けることである。即ち、各子機１１０ｂに対応する個別電話帳データを親機１１０ａの記憶部１１５ａ内に領域を分けて集中的に記憶することとし、各子機１１０ｂ内には記憶部を設けない。言い換えれば、親機１１０ａの記憶部を複数の子機１１０ｂでシェアして各子機１１０ｂの個別電話帳データを記憶する。これにより、子機側のメモリに要するコストを削減することができる。
【００６２】
第３実施例によるコードレス電話機の全体構成は、図４に示す第１実施例のものと同様である。即ち、親機１１０ａのみに記憶部１１５ａが設けられ、子機１１０ｂには記憶部は設けない。
【００６３】
図１０は、第３実施例における親機１１０ａの記憶部１１５ａの具体的な内部構造を示す図である。図５に示した第１実施例の内部構造に加えて、個別電話帳データメモリ１１６ｅが設けられる。個別電話帳データメモリ１１６ｅは、各子機１１０ｂ毎に個別電話帳データを記憶する。即ち、子機１１０ｂ毎に記憶領域を分けて各子機に対応する個別電話帳データを記憶するか、又は、個別電話帳データを構成する各登録データに、どの子機に対応するデータであるかを示す情報を含める。こうして、各子機に対応する個別電話帳データを、親機１１０ａの記憶部１１５ａ内に記憶する。
【００６４】
次に、電話帳データの登録方法について説明する。本実施例では、親機１１０ａへの共通電話帳データ及び個別電話帳データの登録は親機１１０ａ及び子機１１０ｂのいずれを使用しても行うことができる。但し、ユーザは登録時に、その電話帳データを共通電話帳データとして登録するか、個別電話帳データとして登録するかを指定する必要がある。ユーザが共通電話帳データとして指定して登録した電話帳データは、子機１１０ｂから親機１１０ａへ送信され、親機１１０ａの記憶部１１５ａ内の電話帳メモリ１１６ａに記憶される。また、ユーザが個別電話帳データとして指定して登録した電話帳データは、子機１１０ｂから親機１１０ａへ送信され、親機１１０ａの記憶部１１５ａ内の専用電話帳メモリ１１６ｅに記憶される。
【００６５】
次に、発信処理について説明する。
【００６６】
まず、ユーザが親機１１０ａを使用して共通電話帳データに属する電話番号に発信する場合は、ユーザの操作に応じて電話帳データが親機１１０ａの表示部１１２ａに表示される。そして、ユーザが相手先を決定して発信指示を入力すると、親機１１０ａはその電話番号へ発信する。
【００６７】
また、ユーザが子機１１０ｂを使用して共通電話帳データに属する電話番号に発信する場合は、基本的に図６及び図７に示した第１実施例と同様の処理が行われる。即ち、まず子機１１０ｂから親機１１０ａに電話帳参照要求がなされ、対応する共通電話帳データが電話帳メモリ１１６ａから読み出されて親機１１０ａから子機１１０ｂへ送信される。次に、ユーザが相手先を決定し、子機１１０ｂに対して発信要求を入力すると、子機１１０ｂは親機１１０ａへその電話番号データを含む発信要求を送信する。親機１１０ａは子機１１０ｂから発信要求を受け取り、指定された電話番号へ発信する。
【００６８】
また、ユーザが子機１１０ｂを使用して個別電話帳データに属する電話番号に発信する場合も基本的に同様である。まず、子機１１０ｂから親機１１０ａに電話帳参照要求がなされ、対応する電話帳データが個別電話帳データ１１６ｅから読み出されて親機１１０ａから子機１１０ｂへ送信される。次に、ユーザが相手先を決定し、子機１１０ｂに対して発信要求を入力すると、子機１１０ｂは親機１１０ａへその電話番号データを含む発信要求を送信する。親機１１０ａは子機１１０ｂから発信要求を受け取り、指定された電話番号へ発信する。
【００６９】
以上のように、第３実施例によれば、共通電話帳データのみならず、子機毎に管理される個別電話帳データも親機１１０ａに記憶して集中管理することとしたので、子機側に電話帳データを記憶するための記憶部を設ける必要がなくなり、子機を低コスト化することができる。また、親機１１０ａ内の個別電話帳データは、対応する子機毎に管理されるので、子機１１０ｂのユーザは、それぞれ個別電話帳データを親機１１０ａ内の個別電話帳データメモリ１１６ｅに記憶し、個人的に管理することができる。
【００７０】
なお、第２実施例の場合と同様に、子機１１０ｂが複数ある場合には、各子機１１０ｂの個別電話帳データにパスワードなどを設定して他のユーザからは登録データが引き出せないようにすれば、複数のユーザが共有するコードレス電話機であっても個々の子機を使用するユーザのプライバシーを守ることができる。
【００７１】
［変形例］
上記の各実施形態では、電話帳データの記憶及び使用について説明したが、電話帳データの他に、例えば着信履歴データ、送信履歴データ、着信拒否設定に関するデータなどの電話に関連する種々のデータも電話帳データと同様に扱うことができる。
【図面の簡単な説明】
【００７２】
【図１】本発明の実施例に係るコードレス電話機の全体構成を模式的に示す。
【図２】親機の概略構成を示すブロック図である。
【図３】子機の概略構成を示すブロック図である。
【図４】第１実施例による電話帳データの処理に関連する構成要素を示すブロック図である。
【図５】第１実施例による電話帳データを記憶する記憶部の構成例、及び、電話帳データの例を示す図である。
【図６】第１実施例による発信処理の子機側のフローチャートである。
【図７】第１実施例による発信処理の親機側のフローチャートである。
【図８】第２実施例による電話帳データの処理に関連する構成要素を示すブロック図である。
【図９】第３実施例による電話帳データの処理に関連する構成要素を示すブロック図である。
【図１０】第４実施例による親機内の記憶部の構成例を示す図である。
【符号の説明】
【００７３】
６、２１  アンテナ
１００  コードレス電話機
１１０ａ  親機
１１０ｂ  子機
１１１ａ、１１１ｂ  主制御部
１１２ａ、１１２ｂ  表示部
１１３ａ、１１３ｂ  操作部
１１４ａ、１１４ｂ  無線部
１１５ａ、１１５ｂ  記憶部
１１６ａ  電話帳メモリ
１３５  電話帳データ
１３６  登録データ
【図１】
2005311609.tif 000003
【図２】
2005311609.tif 000004
【図３】
2005311609.tif 000005
【図４】
2005311609.tif 000006
【図５】
2005311609.tif 000007
【図６】
2005311609.tif 000008
【図７】
2005311609.tif 000009
【図８】
2005311609.tif 000010
【図９】
2005311609.tif 000011
【図１０】
2005311609.tif 000012